(57)【要約】【課題】人体検出精度の向上を図ることができ、もって調光精度の向上を図ることができる照明制御システムを提供する。【解決手段】ＩＣタグ９ａ，９ｂ，…から利用者識別情報を読み出したときにＩＤ検出信号を出力するＩＣタグリーダ５ａ，５ｂ，…と；このＩＣタグリーダからＩＤ検出信号を受信したときに、このＩＤ検出信号の利用者識別情報により予め設定されている制御条件により当該照明器具を点灯し制御するための制御信号を出力する中央制御装置２と；この制御信号を受けてこの制御信号２により照明器具の光出力を制御する制御端末４ａ，４ｂ，…と；を具備している。【選択図】  図１
2009004244.tif 000002
【特許請求の範囲】
【請求項１】
ＩＣタグから利用者識別情報を読み出したときにＩＤ検出信号を出力するＩＣタグリーダと；
このＩＣタグリーダからＩＤ検出信号を受信したときに、このＩＤ検出信号の利用者識別情報により予め設定されている制御条件により当該照明器具を点灯し制御するための制御信号を出力する中央制御装置と；
この制御信号を受けてこの制御信号により照明器具の光出力を制御する制御端末と；
を具備していることを特徴とする照明制御システム。
【請求項２】
ＩＣタグリーダからＩＤ検出信号を受信したときに起動されて予め設定された所定時間を計時するタイマと；
このタイマの起動後、設定時間内に再度ＩＤ検出信号を受信しなかったときに、前記照明器具の光出力を下げるための制御信号を制御端末に与える制御手段と；
を具備していることを特徴とする請求項１記載の照明制御システム。
【請求項３】
タイマは、その設定時間を、予め設定した所要期間のスケジュールに従って変更可能に構成してなることを特徴とする請求項２記載の照明制御システム。
【請求項４】
制御手段は、照明器具の光出力を下げる調光度を、予め設定した所要期間のスケジュールに従って変更可能に構成してなることを特徴とする請求項２または３記載の照明制御システム。
【請求項５】
ＩＣタグリーダと制御端末は、複数の照明器具グループ毎にそれぞれ配設されていることを特徴とする請求項１ないし４のいずれか一記載の照明制御システム。
【請求項６】
制御装置は、ＩＣタグリーダからＩＤ検出信号を受信したときに、このＩＤ検出信号の利用者識別情報が示す利用者が予め登録されている本人か否かを認証し、その本人が認証されたときに、ＩＤ検出信号の利用者に対して予め設定された制御条件を当該制御端末に与え、照明器具をそのグループ毎に制御する中央制御装置に構成されていることを特徴とする請求項５記載の照明制御システム。
【発明の詳細な説明】
【技術分野】
【０００１】
本発明は、照明器具の点消灯や調光を制御する照明制御システムに関する。
【背景技術】
【０００２】
従来、この種の照明制御装置の一例としては、焦電型赤外線センサにより人体から放出される赤外線を検出することにより、人体の有無を検出して照明器具をオンオフ（点消灯）制御するものが知られている。
【０００３】
しかし、この焦電型赤外線センサは周囲と温度差のある人体が動くことにより発生する赤外線の変化量を検出することにより、人体の存在を検出するので、人体が存在するにも拘らず、動かなくなったときは、赤外線の変化量を検出できないため人体は存在しないと判断して照明器具を消灯してしまうという課題がある。
【０００４】
そこで、焦電型赤外線センサが人体を検出した後、所定時間内人体を検出しないときは、この焦電型赤外線センサ自体を微動傾斜機構により傾動させて人体を検出させる照明制御装置が知られている（例えば、特許文献１参照）。
【特許文献１】特開平８−２７３０６５号公報
【発明の開示】
【発明が解決しようとする課題】
【０００５】
しかしながら、このような後者の従来の照明制御装置では、微動傾斜機構を設けるので、その分、照明制御装置全体の大形重量化を招くうえに、機械的駆動部があるので、経年劣化等により動作信頼性が低下するという新たな課題がある。
【０００６】
本発明は、このような事情を考慮してなされたもので、その目的は、人体検出精度の向上を図ることができ、もって調光精度の向上を図ることができる照明制御システムを提供することにある。
【課題を解決するための手段】
【０００７】
請求項１に係る照明制御システムは、ＩＣタグから利用者識別情報を読み出したときにＩＤ検出信号を出力するＩＣタグリーダと；このＩＣタグリーダからＩＤ検出信号を受信したときに、このＩＤ検出信号の利用者識別情報により予め設定されている制御条件により当該照明器具を点灯し制御するための制御信号を出力する中央制御装置と；この制御信号を受けてこの制御信号により照明器具の光出力を制御する制御端末と；を具備していることを特徴とする。
【０００８】
請求項２に係る照明制御システムは、ＩＣタグリーダからＩＤ検出信号を受信したときに起動されて予め設定された所定時間を計時するタイマと；このタイマの起動後、設定時間内に再度ＩＤ検出信号を受信しなかったときに、前記照明器具の光出力を下げるための制御信号を制御端末に与える制御手段と；を具備していることを特徴とする。
【０００９】
請求項３に係る照明制御システムは、タイマは、その設定時間を、予め設定した所要期間のスケジュールに従って変更可能に構成してなることを特徴とする。
【００１０】
請求項４に係る照明制御システムは、制御手段は、照明器具の光出力を下げる調光度を、予め設定した所要期間のスケジュールに従って変更可能に構成してなることを特徴とする。
【００１１】
請求項５に係る照明制御システムは、ＩＣタグリーダと制御端末は、複数の照明器具グループ毎にそれぞれ配設されていることを特徴とする。
【００１２】
請求項６に係る照明制御システムは、制御装置は、ＩＣタグリーダからＩＤ検出信号を受信したときに、このＩＤ検出信号の利用者識別情報が示す利用者が予め登録されている本人か否かを認証し、その本人が認証されたときに、ＩＤ検出信号の利用者に対して予め設定された制御条件を当該制御端末に与え、照明器具をそのグループ毎に制御する中央制御装置に構成されていることを特徴とする。
【発明の効果】
【００１３】
請求項１に係る照明制御システムによれば、社員等人が所持または携帯しているＩＣタグから、このＩＣタグに記録されている利用者識別情報（ＩＤ）をＩＣタグリーダにより検出することにより、人の有無（存否）を検出することができる。このために、ＩＣタグリーダを機械的に駆動しなくても人の有無（存否）を検出することができるので、機械的駆動部を省略することができる。このために、照明制御装置全体の小形軽量化を図ることができる。
【００１４】
また、人検出精度の向上を図ることができるので、その分、この人検出精度に基づいて照明器具を点消灯や調光する制御精度の向上を図ることができる。
【００１５】
さらに、社員等人が所持または携帯するＩＣタグに記録されている個人の利用者識別情報に示された制御条件に基づいて照明器具の点消灯や調光の制御を行うので、その個人特定の調光や複数の利用者識別情報に共通の制御条件に基づいて照明器具グループ毎に制御することができる。
【００１６】
請求項２に係る照明制御システムによれば、ＩＣタグリーダによりＩＣタグの利用者識別情報を読み込んでから、タイマの設定時間内に再度ＩＤをＩＣタグリーダにより検出できなかったときは、制御手段により、人体が不存在であると判断して照明器具をオフまたは減光する調光制御を行う。すなわち、人体が不存在のときは、照明器具を消灯または減光するので、節電を図ることができる。
【００１７】
請求項３に係る照明制御システムによれば、ＩＣタグリーダと制御端末を複数の照明器具グループ毎にそれぞれ配設しているので、これら複数の照明器具を、そのグループ毎にそれぞれ点消灯や調光の制御を行うことができる。
【００１８】
請求項４に係る照明制御システムによれば、中央制御装置により利用者本人を認証してから照明器具の点消灯や調光の制御を行うので、偽のＩＤにより照明器具の点消灯や調光の制御を行うのを未然に防止することができる。
【発明を実施するための最良の形態】
【００１９】
以下、本発明に係る実施形態を添付図面に基づいて説明する。
【００２０】
図１は本発明の一実施形態に係る照明制御システムの構成を一部省略して示すブロック図、図２，図３はこの照明制御システムの中央制御装置の処理プログラムの各フローチャートである。
【００２１】
図１に示すように照明制御システム１は、中央制御装置２に、伝送信号線３を介して、１組をなす制御端末４とＩＣタグリーダ５の複数組４ａと５ａ、４ｂと５ｂ，…と、例えば壁スイッチ等に配設された監視端末６をそれぞれ電気的に接続している。さらに、監視端末６には設定器７を電気的に接続することができる。
【００２２】
各組の制御端末４ａ，４ｂ，…と、各組のＩＣタグリーダ５ａ，５ｂ，…は、複数組の照明器具グループＧ１，Ｇ２，…毎に配設されている。各照明器具グループＧ１，Ｇ２，…は、例えば会社の複数の執務場所等の照明すべき照明エリア毎にそれぞれ設置され、これら照明エリアは窓際等により外光の採光が多いエリアや窓から遠い等のために外光の採光の少ないエリア等、外光の採光条件がそれぞれ相違する場合がある。このために、各照明器具グループＧ１，Ｇ２，…は、１台以上の調光可能の照明器具８，８，…をそれぞれ具備しており、これら各照明器具８は光源として、例えば蛍光ランプ，ＬＥＤ（発光ダイオード），電球等を備えている。
【００２３】
各ＩＣタグリーダ５ａ，５ｂ，…は、例えば各照明エリアの天井に配設されて、例えば商用電源（ＡＣ）により駆動され、各照明エリアにおいて、ＩＣタグ９ａ，９ｂ，…と無線通信し、これらＩＣタグ９ａ，９ｂ，…から、これらにそれぞれ記録されている利用者識別情報であるＩＤ等記録されている所要の情報を、所要の時間置きに間欠的に読み出すＩＤ読み出し手段と、このＩＤを読み出したときに、ＩＤ検出信号を出力する手段を具備している。
【００２４】
各ＩＣタグ９ａ，９ｂ，…は、例えば社員等人が常時所持しまたは携帯する社員証等に構成され、プラスチック製の所要大所要形状のカード内に、図示しないアンテナ、メモリおよびＣＰＵ（中央処理装置）を内蔵し、これらを駆動するボタン電池等を交換可能に設けてＲＦアクティブ型に構成されている。このＩＣタグ９ａ，９ｂのメモリには、各社員を認証するためのＩＤや執務席等の位置情報、ＣＰＵを駆動するための処理プログラム等が記録されており、ＩＣタグリーダ５ａ，５ｂ，…から読み出し要求信号をアンテナにより受信したときに、ＩＤ等記録情報をＩＣタグリーダ５ａ，５ｂ，…へ無線送信する通信手段を具備している。
【００２５】
また、各ＩＣタグリーダ５ａ，５ｂ，…は、各ＩＣタグ９ａ，９ｂ，…から読み出したＩＤ等の記録情報をＩＤ検出信号として信号伝送線３を介して中央制御装置２に伝送する手段を具備している。
【００２６】
中央制御装置２は、タッチパネル付き表示器、ＩＤ認証手段、予め複数のＩＤと点消灯や調光度等の照明制御条件とを、それぞれ対応させた調光用データテーブルを具備している。タッチパネル付き表示器は、中央制御装置２に設定されている調光用データテーブルや全社員のＩＤの一覧表等を表示し、これら設定情報をタッチパネルのタッチ操作やキー入力により適宜入力し、または変更できる。
【００２７】
ＩＤ認証手段は、ＩＤ検出信号を受信したときに、このＩＤ検出信号のＩＤを、予め記録してある全社員のＩＤ（番号）と対比させて一致するＩＤが検出されたときに、この制御システムを利用できる正常な社員であると認証する本人認証手段である。照明制御条件としては、各社員個人のＩＤ毎、または複数の社員に共通するＩＤ毎に、それぞれ対応した各照明器具グループＧ１，Ｇ２，…毎、または各照明器具８毎の点消灯や調光度が予め設定されている。
【００２８】
そして、中央制御装置２は、各ＩＣタグリーダ５ａ，５ｂ，…からＩＤ検出信号を受信したときに、調光用テーブルを参照して当該ＩＤに該当する点消灯や調光度の制御条件を読み出し、調光信号（制御信号）として伝送信号線３を介して該当する所要の制御端末４ａ，４ｂ，…に伝送する手段を具備している。
【００２９】
各制御端末４ａ，４ｂ，…は中央制御装置２からの調光信号を受信したときに、この調光信号を、各制御端末４ａ，４ｂ，…に属する照明器具グループＧ１，Ｇ２，…の照明器具８，８…，に与え、これら照明器具８を、照明器具グループＧ１，Ｇ２，…毎、または特定の照明器具８毎に点消灯制御、または調光する手段を具備している。
【００３０】
なお、中央制御装置２は、複数のＩＤが同一の照明器具８に対して異なる制御を行うように設定されている場合、ＩＤに優先順位をつけて検出したＩＤのうち優先順位の高いＩＤを採用して制御することができる。
【００３１】
監視端末６は、図示しない壁スイッチに配設され、設定器７はタッチパネルやテンキー等の入力手段を備えている。設定器７は監視端末６にコードを介して接続され、タッチパネル等の入力手段により各照明器具８やそのグループＧ１，Ｇ２，…のアドレスの設定や照明器具グループＧ１，Ｇ２，…のグループ化、またはこれらの変更を行う設定情報を入力することができる。これら設定情報は伝送信号線３を介して中央制御装置２へ伝送され、中央制御装置２に予め設定されている照明制御条件等の設定情報を新たに設定し、または変更するようになっている。
【００３２】
図２，図３は、この中央制御装置２の処理プログラムのフローチャートをそれぞれ示す。これら図中、記号Ｓに数字を付した符号はフローチャートの各ステップ、丸Ａはコネクタをそれぞれ示す。
【００３３】
中央制御装置２は、この処理プログラムを起動した後、まずＳ１で、ＩＣタグリーダ５ａ，５ｂ，…のいずれかからＩＤ検出信号を受信したか否かを繰り返し判断し、Ｙｅｓのとき、つまりＩＤ検出信号を受信したときは次のＳ２へ進む。
【００３４】
Ｓ２では、この受信したＩＤ検出信号のＩＤが認証手段により正常データか否か判断し、Ｙｅｓのときは、次のＳ３へ進み、ＮｏのときはＳ１へ戻り、Ｓ１以下を再び繰り返す。
【００３５】
Ｓ３では、この正常のＩＤに基づいて調光用データテーブルを参照し、このＩＤに該当する調光度を抽出し、これを調光信号として、このＩＤにより特定された制御端末４ａ，４ｂ，…に信号伝送線３を介して伝送する。このために、この特定された制御端末４ａ，４ｂ，…は、受信した調光信号を特定の照明器具グループＧ１，Ｇ２，…に与え、これらの照明器具８を点灯すると共に、その調光度により調光する。
【００３６】
この後、Ｓ４では、退室検出用タイマをスタートさせる。次のＳ５で、この退室検出用タイマが所定の設定時間をタイムアップするまでに、引き続き、点灯調光中の照明器具グループＧ１，Ｇ２，…のＩＣタグリーダ５ａ，５ｂ，…からＩＤ検出信号を受信しているか否かを判断し、ＩＤ検出信号を受信しているとき（Ｙｅｓ）は、このＩＣタグ９ａ，９ｂ，…を所持または携帯している社員等の人が、その調光点灯中の照明エリアから退室せずに引き続き留まっていると判断し、Ｓ６へ進む。一方、Ｓ５でＮｏのときは、ＩＣタグ９ａ，９ｂ，…を所持または携帯している社員等の人が、その調光点灯中の照明エリアから退室したと判断し、図３で示すＳ７へ進む。
【００３７】
Ｓ６では、この退室検出用タイマの駆動を停止させて再び初期状態にクリアしてから再びＳ１へ戻り、再びＳ１以下を繰り返す。
【００３８】
このために、各照明エリアはＩＤ検出信号の照明制御条件に基づいて各照明器具グループＧ１，Ｇ２，…の各照明器具８が点灯調光制御される。
【００３９】
一方、Ｓ７では、携帯している社員等の人が、その調光点灯中の照明エリアから退室したと判断し、一旦、ＩＤ検出信号が受信された当該ＩＤに対応する制御端末４ａ，４ｂ，…により、当該照明器具グループＧ１，Ｇ２，…、または照明器具８，８，…を消灯させる。
【００４０】
次のＳ８では、退室検出用タイマの駆動を停止させて、再び初期状態にクリアする。この後、上記Ｓ１へ戻り、Ｓ１以下のステップを繰り返す。
【００４１】
したがって、この照明制御システム１によれば、社員等人が所持または携帯しているＩＣタグ９ａ，９ｂ，…から、このＩＣタグ９ａ，９ｂ，…に記録されているＩＤをＩＣタグリーダ５ａ，５ｂ，…により検出することにより、人の有無（存否）を検出することができる。しかも、社員等人が動かなくても、その人を検出できるので、ＩＣタグリーダ５ａ，５ｂ，…を機械的に駆動しなくても人の有無（存否）を検出することができる。このために、機械的駆動部を省略することができるので、照明制御システム全体の小形軽量化を図ることができる。
【００４２】
また、人検出精度の向上を図ることができるので、その分、この人検出精度に基づいて照明器具８，８，…を調光する調光精度の向上を図ることができる。
【００４３】
さらに、社員等人が所持または携帯するＩＣタグ９ａ，９ｂ，…に記録されている個人の利用者識別情報に示された制御条件に基づいて照明器具８，８，…を点消灯や調光制御するので、その個人特定の調光や複数の利用者識別情報に共通の制御条件に基づいて照明器具グループ毎Ｇ１，Ｇ２，…に制御することができる。
【００４４】
また、ＩＣタグリーダ５ａ，５ｂ，…によりＩＣタグ９ａ，９ｂ，…の利用者識別情報を読み込んでから、タイマの設定時間内に再度ＩＤをＩＣタグリーダ５ａ，５ｂ，…により検出できなかったときは、制御手段としての消灯減光手段により、社員等、人が不存在であると判断して照明器具８，８，…をオフまたは所定の光出力に減光する消灯制御を行う。すなわち、人が不存在のときは、照明器具８，８，…を消灯または所定値に減光するので、節電を図ることができる。
【００４５】
さらに、ＩＣタグリーダ５ａ，５ｂ，…と制御端末４ａ，ｂ，…を複数の照明器具グループＧ１，Ｇ２，…毎にそれぞれ配設しているので、これら複数の照明器具グループＧ１，Ｇ２，…毎にそれぞれ点消灯や調光の制御を行うことができる。
【００４６】
そして、中央制御装置２により社員等利用者本人を認証してから照明器具８，８，…の点消灯や調光を制御するので、偽のＩＤにより照明器具８，８，…の点消灯や調光を制御するのを未然に防止することができる。
【００４７】
なお、本発明は上記実施形態に限定されるものではなく、例えば中央制御装置２の消灯減光手段の設定時間と調光レベルとを、１日の勤務時間帯や１週間の曜日、あるいは年間の月や季節等に応じて予め設定した所要期間のスケジュールに従ってそれぞれ変更し得るように構成してもよい。
【００４８】
図４はこの消灯減光手段によるタイマの設定時間を、１日の複数の時間帯に応じて適宜変更したタイムスケジュール表の一例を示している。
【００４９】
このスケジュール表は、例えば夜中や昼休み等の社員等人がいる可能性が少ない時間帯や業務以外の行動をしている時間帯（例えば０：００〜９：００や１２：００〜１３：００）では、タイマの設定時間を、業務を行なっている可能性が高い時間帯（例えば９：００〜１２：００や１３：００〜１７：００）よりも短か目に設定している。
【００５０】
このために、夜中や昼休み等では、照明器具８，８，…を早目に消灯または減光することができるので、その分、節電を図ることができる。
【００５１】
図５は１日の複数の時間帯とその減光パターン１，２，…との対応関係を示すスケジュール表の一例を示し、図６は１週間の曜日とその減光パターン１，２，…の対応関係をそれぞれ示すスケジュール表の一例である。
【００５２】
なお、図５のスケジュール表中、減光レベル０％とは、タイマ設定時間経過後、消灯することを示し、同１０％は全く消灯せずに全点灯の１０％の光束で点灯を続行することを示す。
【００５３】
これら図４〜図６で示すスケジュール表は、中央制御装置２のメモリに予め記録されており、これらスケジュール表に従ってタイマの設定時間、減光パターンがそれぞれ実行される。また、これらスケジュール表は上述したタッチパネル付き表示器のタッチ操作やキー入力により適宜変更することができる。
【００５４】
したがって、これらスケジュール表によれば、１日の時間帯や１週間の平日や休日等に応じて減光パターンを適宜変更することができる。このために、照明器具８を必要な時間、必要な明るさで点灯し、無駄な点灯時間や明るさを抑制することができるので、さらなる節電を図ることができる。
【図面の簡単な説明】
【００５５】
【図１】本発明の一実施形態に係る照明制御システムの全体構成を一部省略して示すブロック図。
【図２】図１で示す中央制御装置の処理プログラムの一部のフローチャート。
【図３】図２で示す中央制御装置の処理プログラムの残部のフローチャート。
【図４】図１で示す中央制御装置に予め記録された１日の複数の時間帯におけるタイマの設定時間をそれぞれ示すスケジュール表。
【図５】図１で示す中央制御装置に予め記録された１日の複数の時間帯における減光パターンの種類をそれぞれ示すスケジュール表。
【図６】図１で示す中央制御装置に予め記録された１週間の各曜日における減光パターンの種類を示すスケジュール表。
【符号の説明】
【００５６】
１…照明制御システム、２…中央制御装置、４ａ，４ｂ…制御端末、５ａ，５ｂ…ＩＣタグリーダ、６…監視端末、７…設定器、８…照明器具、９ａ，９ｂ…ＩＣタグ、Ｇ１，Ｇ２…照明器具グループ。
【図１】
2009004244.tif 000003
【図２】
2009004244.tif 000004
【図３】
2009004244.tif 000005
【図４】
2009004244.tif 000006
【図５】
2009004244.tif 000007
【図６】
2009004244.tif 000008